(57)【要約】      （修正有）【課題】製造コストの低減に寄与する構造の商品情報表示用ボード及び部品の組立が容易である商品情報表示用ボードを提供する。【解決手段】商品情報表示用ボード１０は、商品情報を表す一枚の薄板１６を保持するための上下に相対する一対の溝１２と、商品情報を表す複数枚の薄板１８をそれぞれ受け入れかつ表示するための複数の窓１４とが設けられた一の片面を有する同一形状の一対のフレーム２４からなる。両フレームはこれらの他の片面が対向した状態で互いに結合されている。【選択図】図１
2005234160.tif 000002
【特許請求の範囲】
【請求項１】
商品情報を表す一枚の薄板を保持するための上下に相対する一対の溝と、商品情報を表す複数枚の薄板をそれぞれ受け入れかつ表示するための複数の窓とが設けられた一の片面を有する同一形状の一対のフレームからなり、両フレームはこれらの他の片面が対向した状態で互いに結合されている、商品情報表示用ボード。
【請求項２】
両フレームは、それぞれ、これらを互いに結合するために設けられた互いに係止可能である複数の凸部及び複数の凹部を有する、請求項１に記載の商品情報表示用ボード。
【請求項３】
さらに、両フレームに設けられた被係止部と、該被係止部に係止可能である係止部を有する少なくとも一つのハンガーとを含む、請求項１に記載の商品情報表示用ボード。
【請求項４】
請求項１に記載の商品情報表示用ボードと同一の第１のボードと、該第１のボードの上方に配置されかつこれに解除可能に結合された第２のボードであって商品情報を表す一枚の薄板を保持するための上下に相対する一対の溝が共に設けられた両面を有する第２のボードとを含む、商品情報表示用ボード。
【請求項５】
前記第１のボードは両フレームに設けられた被係止部を有する上端部を備え、また前記第２のボードは前記被係止部に係止可能である係止部が設けられた下端部を備える、請求項４に記載の商品情報表示用ボード。
【請求項６】
前記第２のボードは、さらに、他の第２のボードの下端部の係止部が係止可能である被係止部が設けられた上端部を備える、請求項５に記載の商品情報表示用ボード。
【発明の詳細な説明】
【技術分野】
【０００１】
本発明は、商品の名称、産地、価格、特記事項等の商品情報を表示するために用いられる商品情報表示用ボードに関する。
【背景技術】
【０００２】
従来、生鮮食料品、文具等の商品を取り扱うスーパーマーケットのような小売店における商品情報表示のためのボードが提案されている。
【０００３】
【特許文献１】登録実用新案第３０７９７１１号公報
【発明の開示】
【発明が解決しようとする課題】
【０００４】
前記従来の商品情報表示用ボードは、異なる複数の部品を組み立ててなる。これらの部品は、通常、プラスチック材料で形成されるところ、これらの部品の製造には複数の別個の金型を必要とするため、製造コストが高くつくという問題がある。また、組み立ての際における異なる部品の取り扱いが煩雑であり、このことがさらに製造コストを増大させるという問題がある。
【０００５】
本発明の目的は、製造コストの低減に寄与する構造の商品情報表示用ボードを提供することにある。また、本発明の他の目的は、部品の組立が容易である商品情報表示用ボードを提供することにある。
【課題を解決するための手段】
【０００６】
本発明に係る一の商品情報表示用ボードは、商品情報を表す一枚の薄板を保持するための上下に相対する一対の溝と、商品情報を表す複数枚の薄板をそれぞれ受け入れかつ表示するための複数の窓とが設けられた一の片面を有する同一形状の一対のフレームからなり、両フレームはこれらの他の片面が対向した状態で互いに結合されている。
【０００７】
両フレームは、それぞれ、これらを互いに結合するために設けられた互いに係止可能である複数の凸部及び複数の凹部を有するものとすることができる。商品情報表示用ボードは、さらに、両フレームに設けられた被係止部と、該被係止部に係止可能である係止部を有する少なくも一つのハンガーとを含むものとすることができる。
【０００８】
本発明に係る他の商品情報表示用ボードは、前記商品情報表示用ボードと同一の第１のボードと、該第１のボードの上方に配置されかつこれに解除可能に結合された第２のボードであって商品情報を表す一枚の薄板を保持するための上下に相対する一対の溝が共に設けられた両面を有する第２のボードとを含む。
【０００９】
前記第１のボードは両フレームに設けられた被係止部を有する上端部を備え、また前記第２のボードは前記被係止部に係止可能である係止部が設けられた下端部を備えるものとすることができる。前記第２のボードは、さらに、他の第２のボードの下端部の係止部が係止可能である被係止部が設けられた上端部を備えるものとすることができる。
【発明の効果】
【００１０】
一の商品情報表示用ボードに係る本発明によれば、商品情報表示用ボードが同一形状を有する一対のフレームからなり、これらのフレームがこれらの片面が対向した状態で結合されていることから、両フレームをプラスチック材料で形成する場合に必要とされる金型の種類を単一とすることができる。このため、複数種類の金型を準備する場合と比較して、商品情報表示用ボードの製造に要する費用を低減することができる。また、前記商品情報表示用ボードの組み立て部品が一種類のフレームのみであるためにその取り扱いが容易であり、しかも両フレームを単に背中合わせにして結合すれば足り、前記商品情報表示用ボードの組み立て作業を容易に行うことができる。前記商品情報表示用ボードによれば、各フレームの上下一対の溝にそれぞれ一枚の薄板の両縁部を差し入れてこれを保持することができる。前記薄板には、例えば商品の名称、その産地その他の商品情報を表すことができ、また複数枚の薄板のそれぞれには商品の価格を示すための一の数字を表し、複数の窓に現れる一連の数字をもって前記商品の価格を表示することができる。
【００１１】
両フレームの結合手段として互いに係止可能である複数の凸部及び複数の凹部とするときは、各凸部の各凹部への押し込みによるいわゆるスナップ結合をもって両者を容易かつ解除可能に結合することができる。
【００１２】
前記商品情報表示用ボードがその上端部に被係止部を有し、また前記被係止部に係止可能である係止部が設けられた少なくとも一つのハンガーを有するものとするときは、前記ハンガーを介して、前記商品情報表示用ボードを吊り下げた状態におくことができる。
【００１３】
前記一の商品情報表示用ボードと同一のものを第１のボードとし、さらに該第１のボードの上端部に解除可能に結合された第２のボードを有する他の商品情報表示用ボードによれば、前記第２のボードの両溝によって一枚の薄板を保持することができ、該薄板により、前記第１のボードが表示する商品情報に加えてさらに多くの商品情報、他の商品の情報等を示すことができる。また、前記第１のボードにおける上下一対の溝のうちの下方の溝と、前記第２のボードにおける上下一対の溝のうちの上方の溝とを一組として、該一組の溝により上下方向寸法（幅寸法）のより大きい一枚の薄板を保持することができる。
【００１４】
前記第１のボードがその上端部に前記したと同様の被係止部を有し、また前記第２のボードが係止部が設けられた下端部を有するものとするときは、前記第１のボードの上端部の被係止部に対して前記第２ボードの下端部の係止部を係止させることにより、また前記第１のボードの上端部と前記第２のボードの下端部との間の係止関係を解除することにより、前記第１のボードへの前記第２のボードの結合及びその解除を容易に行うことができる。
【００１５】
前記第２のボードが、他の第２のボードの下端部が前記係止部が係止可能である被係止部が設けられた上端部を備えるものにあっては、前記第２のボードへの前記他の第２のボードの結合及びその解除を、前記第１のボードへの前記第２のボードの結合及びその解除と同様に容易に行うことができる。
【発明を実施するための最良の形態】
【００１６】
図１及び図２を参照すると、商品情報表示用ボードの一例が全体に符号１０で示されている。
【００１７】
商品情報表示用ボード１０は全体に矩形状を呈する表裏両面を有し、その各面には上下に相対する一対の溝１２と、複数の窓１４とが設けられている。図示の例では、両溝１２と複数の窓１４とが各面の上半分の領域と下半分の領域とにそれぞれ配置されている。図示の例に代えて、両溝１２及び複数の窓１４の配置を上下逆とすることができる。
【００１８】
この商品情報表示用ボード１０によれば、両溝１２間に一枚の矩形状の薄板１６を保持し、また複数の窓１４内に複数枚の矩形状の薄板１８をそれぞれ保持することができる（図２）。
【００１９】
薄板１６，１８は、紙やプラスチック材料からなり、薄板１６には、例えば店内に並べられる各商品についての名称、産地、キャッチフレーズ等からなる商品情報が表示される。また、薄板１８には、後述するように、例えば商品情報の１つである該商品の価格を表すための数字が表示される。
【００２０】
薄板１６は両溝１２の相互間隔よりわずかに大きい幅寸法（上下方向寸法）と、両溝１２の長さ寸法（横方向寸法）にほぼ等しい長さ寸法とを有する。薄板１６は、その長手方向へ伸びる下縁部及び上縁部をそれぞれ上方及び下方に向けてそれぞれ開放する両溝１２内に差し入れることにより、両溝１２に保持することができる。このとき、薄板１６はその下縁部及び上縁部間でわずかに湾曲する。
【００２１】
各窓１４は各薄板１８を受け入れるためのポケット２０と、ポケット２０内に受け入れられた各薄板１８の一部を現すための開口２２とを有する。図示の開口２２は矩形状を呈するが、これに代えて、例えば円形のような他の形状とすることができる。
【００２２】
ポケット２０はその外部に開放する上縁を有し、該上縁を通して、薄板１８をポケット２０内に挿入することができる。薄板１８には例えば０〜９までのうちのいずれか１つの数字が表され、複数の薄板１８がそれぞれ複数のポケット２０内に配置されるとき、複数の開口２２にそれぞれ前記数字が現れ、これらの一連の数字が商品の価格を表示する。また、この場合、最右端に位置することとなる薄板１８に価格の単位である「円」を表示することができる。前記数字の変更を容易にするため、図示の例におけるように、予め準備された０〜９の数字が記載された薄板１８の束をポケット２０に収容しておくことができる。
【００２３】
商品情報表示用ボード１０は同一形状の一対のフレーム２４からなる。各フレーム２４は全体に矩形状を呈し、一の片面２６及び他の片面２８を有する（図３）。
【００２４】
商品情報表示用ボード１０は、一対のフレーム２４を背中合わせにして、すなわちこれらの他の片面２８を互いに対向させた状態で結合することにより形成されている。このため、商品情報表示用ボード１０の製造に要する部品は一種類のみで足りる。また、一種類の部品のみで製造することができるため、該部品の取り扱い及び組み立てが容易である。さらに、フレーム２４はこれをプラスチック材料で形成することができるところ、その際に一種類の金型を準備すれば足りる。
【００２５】
商品情報表示用ボード１０における一対の溝１２及び複数の窓１４は、各フレーム２４の一方の片面２６に設けられている。したがって、両フレーム２４を互いに結合して商品情報表示用ボード１０が形成されるとき、両フレームの一方の片面２６がそれぞれ商品情報表示用ボード１０の表裏両面をなす。
【００２６】
各フレーム２４は、その厚さ方向に互いに間隔をおいて相対する表板部分３０及び裏板部分３２と、これらの両板部分３０，３２間にあってこれらの板部分に連なる複数の仕切り板部分３４とを含む。複数の窓１４は、これらの板部分３０，３２と仕切り板部分３４とにより形成されている。すなわち、各窓１４のポケット２０は板部分３０，３２，３４により規定され、また開口２２は各表板部分３０に設けられている。
【００２７】
図示の例では、裏板部分３２に、各開口２２に相対する矩形の穴３６が設けられている。また、両フレーム２４が背中合わせに結合されるとき、両フレームの仕切り板部分３４が互い違いに位置する。その結果、両フレームの各ポケット２２が矩形の穴３６を介して互いに連通し、また一方のフレーム２４の各仕切り板部分３４は、ポケット２２に入れられ他方のフレーム２４の窓１４に現れる薄板１８の背当てとしての役目をも果たす。
【００２８】
なお、各フレーム２４には、その重量軽減のため、複数の矩形の穴３８〜４４が設けられている。これらの穴は、上下一対の溝１２間にあり、両溝１２間に保持される薄板１６により覆われる。
【００２９】
図３に示すように、両フレーム２４は、それぞれ、これらの相互結合のための互いに係止可能である複数の凸部及び複数の凹部、図示の例では複数のフック４６及び該フックが受け入れられる複数のスリット４８を有する。両フレーム２４を背中合わせにしたとき、一方のフレーム２４の片面２８に現れるフック４６及びスリット４８は、それぞれ、他方のフレーム２４の片面２８に現れるスリット４８及びフック４６に相対し、両フレーム２４を互いに他の一方に向けて押し付けるとき、フック４６がスリット４８に受け入れられ、いわゆるスナップ係合をする。その結果、両フレーム２４が分離可能に又は解除可能に互い結合される。両フレーム２４を相互に結合するための前記凸部及び凹部として、前記フック及びスリットに代えて、他の構造のものを採用することは任意である。
【００３０】
他の例に係る商品情報表示用ボード１０はその上端部に被係止部、図示の例では第２のボード６２との結合のために用いられるレール５０を有する。レール５０は、互いに結合された両フレーム２４の上端部上に設けられている。レール５０は、両フレーム２４の両端から互いに他の一方へ向けて伸びる２つの細長い突起からなる。２つの突起からなるレール５０とする図示の例に代えて、両フレーム２４の両端の一方からその他方まで連続して伸びる１の細長い突起からなるものとすることができるが、重量低減のため、これによりも長さの短い図示の例のほうが望ましい。
【００３１】
この商品情報表示用ボード１０は、さらに、前記被係止部に係止可能である係止部、図示の例では、レール５０すなわち前記２つの突起をこれらに沿ってそれぞれ滑動可能に挟持する後記下端部を有する２つのハンガー５２を含む。これによれば、両ハンガー５２を介して、店舗内に、商品情報表示用ボード１０を吊持することができる。図示の例に代えて、例えばレール５０を両フレーム２４の上端部の中央に設け、このレール５０に単一のハンガー５２を取り付けることができる。また、レール５０及びハンガー５２を有しない例に係る前記商品情報表示用ボードについては、その下方へ伸びる扁平な下端部５１において、適当なスタンド（図示せず）を用いてこれを支持することができる。
【００３２】
図示のレール５０は全体にＴ形の横断面形状を有し、また、レール５０を挟持するハンガー５２はその下端部にレール５０をその上部及びこれに連なる両側部を包み込む全体に横Ｅ形の横断面形状を有する凹所５３を備える。図１及び図２）。ハンガー５２は、その下端部の凹所５３にレール５０が相対的に差し込まれ、これにより、レール５０を挟持する。
【００３３】
両フレーム２４は、互いに突き合わされてレール５０の前記細長い突起を形成する同一形状の突起部分５４（図１及び図３）を有する。
【００３４】
次に、図５、図６及び図７を参照すると、さらに他の例の商品情報表示用ボードが全体に符号６０で示されている。
【００３５】
この商品情報表示用ボード６０は、図１に示す両フレーム２４のみからなる商品情報表示用ボード１０と同一の第１のボードと、該第１のボードの上方に配置されかつこれに解除可能に結合された第２のボード６２とを含む。
【００３６】
この第１のボード１０は、レール５０及びハンガー５２のような被係止部及び係止部を含まない。但し、図示の例のように、第１のボード１０と第２のボード６２とを結合するための手段の一部として、図示の例のようにレール５０を含むものとすることができる。したがって、他の結合手段を用いる場合にはレール５０は含まれない。
【００３７】
第１のボード１０については、先に説明したところと同様であるので、説明の重複を避けるため、図１において用いた符号の一部を付すに止める。
【００３８】
第２のボード６２は、本質的に、第１のボード１０の上半部と同一である。すなわち、第２のボード６２は、第１のボード１０と同じ長さ寸法及び同じ厚さ寸法を有し、さらに、第１のボード１０の前記上半部の幅寸法（上下方向の長さ寸法）と同じ幅寸法を有する。また、第２のボード６２は、全体に矩形状の両面を備え、各面に、上下に相対する一対の溝６４を有する。各面における両溝６４は、第１のボード１０における各面の両溝１２と実質的に同じ構造であり、両溝６４の相互間隔は両溝１２の相互間隔に等しい。このことから、両溝６４にも、両溝１２に保持される薄板と同様の薄板１６を保持することができる（図７）。
【００３９】
また、第１のボード１０における両溝のうちの上方の溝１２と、第２のボード６２における両溝のうちの下方の溝６４とが互いに近接している。このことから、これらの上方の溝１２と下方の溝６４とを１組として、この１組の溝で、薄板１６の２倍の大きさの薄板、すなわち２倍の幅寸法を有する薄板６６を保持することができる。大面積の薄板６６には、商品情報をより大きい字で表し、あるいはより多く示すことができる。
【００４０】
この例にあっては、薄板１６及び６６として、それぞれ、例えば規格サイズの紙片であるＢ列５判ハーフ及びＢ列５判の紙片を使用することができる。
【００４１】
第１のボード１０及び第２のボード６２は、それぞれ、これらの上端部及び下端部において連結されている。第１のボード１０の上端部には前記したレール５０が設けられている。また、第２のボードの下端部はその長手方向に伸びかつ下方に開放する凹所であってレール５０をその上部及びこれに連なる両側部を包み込む横Ｃ形の横断面形状を有する凹所６８を備える。第２のボード６２は、その下端部の凹所６８にレール５０が相対的に差し込まれるとき、レール５０を挟持する。これにより、第１のボード１０に第２のボード６２が解除可能に結合される。
【００４２】
図示の例では、第１のボード１０のレール５０と同様のレール７０が第２のボード６２の上端部に設けられている。このことから、複数の第２のボード６２を準備しておけば、第１のボード１０に結合された第２のボード６２にさらに他の第２のボード６２を結合することができ、必要に応じて他の第２のボード６２にさらに他の第２のボード６２を接続することができる。
【００４３】
また、第２のボード６２の上端部に設けられたレール７０にハンガー５２を前記したと同様にして取り付けることができ、これにより、商品情報表示用ボード６０もまた店内に吊持することができる。
【図面の簡単な説明】
【００４４】
【図１】本発明の一例に係る商品情報表示用ボードの斜視図である。
【図２】ハンガーを除いて示す商品情報表示用ボードの縦断面図である。
【図３】一対のフレームの分解斜視図である。
【図４】フレームをその長手方向中央部で切断して示す断面斜視図である。
【図５】第１のボードと第２のボードとを含む他の例に係る商品情報表示用ボードの斜視図である。
【図６】図５に示す商品情報表示用ボードの側面図である。
【図７】ハンガーを除いて示す他の例に係る商品情報表示用ボードの縦断面図である。
【符号の説明】
【００４５】
１０  商品情報表示用ボード（第１のボード）
１２，６４  溝
１４  窓
１６，１８，６６  薄板（紙片）
２４  フレーム
２６，２８  フレームの片面
４６，４８  フック（凸部）及びスリット（凹部）
５０，７０  レール（被係止部）
５２  ハンガー
５３，６８  凹所（係止部における凹所）
６０  商品情報表示用ボード
６２  第２のボード
【図１】
2005234160.tif 000003
【図２】
2005234160.tif 000004
【図３】
2005234160.tif 000005
【図４】
2005234160.tif 000006
【図５】
2005234160.tif 000007
【図６】
2005234160.tif 000008
【図７】
2005234160.tif 000009